(57)【特許請求の範囲】
【請求項１】
基体台部（１）の背面中央部に両面粘着テープ（２）を貼着し、前記基体台部（１）の背面縁周に糊溜凹部（３）を刻設し、該糊溜凹部（３）の内周縁に糊付け部（４）を突設し、該糊付け部（４）の内周縁に空気溜部（５）を刻設し、前記基体台部（１）の背面縁周に間隙部（６）を設け、前記基体台部（１）の前面に取付装置（７）を設けた壁面取付具に、チューブ入りパテ状接着剤（２０）を用いてパテ状接着剤（１０）を糊付け部（４）に塗布して、壁面に取り付けることを特徴とする壁面取付具。
【発明の詳細な説明】
【技術分野】
【０００１】  本発明は、壁面及び各種部材面に取り付ける壁面取付具及び手摺りに関する物である。
【背景技術】
【０００２】  従来、重量物を掛止するためのワンタッチ型の壁面取付具においては、実願Ｓ５５−１０７８７６や、実願Ｓ５８−１７６３７９があったが、実用的なものではなかった。
【発明の開示】
【発明が解決しようとする課題】
【０００３】  簡単な構造であり、かつ施工が容易で、しかも、重量物を掛止しても壁面や各種部材面から容易に脱落しない、強力な保持力を持つ壁面取付具を得る。
【課題を解決するための手段】
【０００４】  上記課題を達成するために、本発明の壁面取付具においては、基体台部の背面中央部に両面粘着テープを貼着し、前記基体台部の背面縁周に糊溜凹部を刻設し、該糊溜凹部の内周縁に糊付け部を突設し、該糊付け部の内周縁に空気溜部を刻設し、前記基体台部の背面縁周に間隙部を設け、前記基体台部の前面に取付装置を設けた壁面取付具に、チューブ入りパテ状接着剤を用いてパテ状接着剤を糊付け部に塗布して、壁面に取り付けるようにした。【０００５】  上記のように構成された壁面取付具の施工手順は、（図３）チューブに充填されたパテ状接着剤を環状の糊付け部全体に切れ目なく盛るように押し出して塗布する。この時のパテ状接着剤の塗布量の目安は、本体を壁面に押しつけたときに、塗布されたパテ状接着剤が潰れて、糊付け部から多少溢れる量にする（図１）。次に両面粘着テープの剥離紙を剥がして本体を所望の壁面に押しつけて取り付ける。そして、基体台部の背面縁周に設けた間隙部から部分的にはみ出したパテ状接着剤があるときには、拭き取り紙等で拭き取る。【０００６】  断面図１には壁面取付具取付後のパテ状接着剤と両面粘着テープとの関係が示されている。糊付け部と壁との間で潰れたパテ状接着剤が糊溜凹部と空気溜部に押し出されて収容されている。糊溜凹部と空気溜部には多少パテ状接着剤の塗布量が多くなっても、糊付け部から潰れてはみ出したパテ状接着剤を、間隙部から外に出しにくくする働きがある。【０００７】  また、壁面に貼り付けられた基体台部背面の両面粘着テープは、周囲のパテ状接着剤に囲まれることによって、外部環境の影響を受けることがなく、両面粘着テープの接着力の効力を保持する働きがある。この働きは、両面粘着テープのみで構成した壁面取付具の場合、外部環境の悪化により粘着材と壁面との接着面の周囲（特に上部）に欠損を生じたとき、その欠損から水や粘着力を弱める埃や汚れ物質が粘着面に侵入し、剥離部分が加速度的に拡大してゆくことにより、急激に接着面積が減り、剥離する力に抗する接着力をなくしてしまうという不具合を解消できるのである。【０００８】  また、パテ状接着剤のみで接着する壁面取付具の場合では、初期接着力がないために簡単に剥がれてしまうので、仮止めを施して長時間かけて硬化させる必要があるが、本発明は両面粘着テープを設けてあるので仮止めを施してあるのと同じ働きがある。【０００９】  そして、両面粘着テープとパテ状接着剤の間に空気溜部があることによって、施工時に本体を壁面に押しつけたときに、壁面と糊付け部との間で押し潰されたパテ状接着剤が、両面粘着テープと壁面との間に入り込み、両面粘着テープの接着力を低下させるという問題を防ぐ働きと、パテ状接着剤を空気溜部内の空気に触れさせることにより、硬化を促進させる働きがある。【００１０】  また、内側に面したパテ状接着剤は、空気溜部内の湿気や酸素などの分子と化合して硬化するために空気溜部内の容積が減り、この空気溜部内の気圧が下がる現象と、パテ状接着剤により空気溜部内は気密状態にあることにより、壁面取付具は外気圧によって壁面に押しつけられる。【００１１】  また、基体台部の縁周に設けた間隙部は、パテ状接着剤がこの基体台部縁周のみに塗布してある��で、都合により取り外さなければならなくなったときには、この間隙部にカッターナイフ等を差し込んで周囲のパテ状接着剤を容易に切断することができる。また、パテ状接着剤をより多くの外気に触れさせることにより硬化を促進させることができる。【００１２】  そして、壁面取付具を壁面に押しつけて貼り付けた後に、部分的にはみ出したパテ状接着剤があるときは、拭き取り紙や布等でこの部分的にはみ出したパテ状接着剤を、基体台部縁周に添わせるようにして拭き取るようにすれば、拭き取りと同時にはみ出したパテ状接着剤を内側の糊溜凹部に押し込めることができるので、作業が容易になる。【００１３】  また、重量物が壁面取付具に掛止されたときや、強い衝撃が加えられたときの接着面の初期の状態に於いては、壁面取付具が壁面から剥がれようとする力に対して、弾性パテ状接着剤は両面粘着テープより伸縮性、弾力性があるので、伸びることによってこの力を吸収、分散する。従って、この時点では弾性パテ状接着剤よりも両面粘着テープのほうにより大きな力が加わる。次に、両面粘着テープが剥離するほどの力が加わって剥離した時点では、環状の空気溜部と剥離した両面粘着テープの体積が一体となり、拡大する。この空気溜部の空間は環状に塗布された弾性パテ状接着剤によって気密状態にあるので、空気溜部の体積に両面粘着テープの剥がれた部分の体積が加わり全体の空間の体積が増えることによって空気溜部内の気圧が減圧される。従って、壁面取付具は外気圧によって壁面に押しつけられる力を受ける。この働きにより、環状に施された弾性パテ状接着剤は剥離する力による影響を受けにくくなるので破断することはなく、しかも、壁面取付具に加わる荷重が少なくなったり、または、なくなれば弾性パテ状接着剤が収縮してもとの形状に戻るため、剥離していた両面粘着テープも再び壁面に接着することになる。したがって、弾性パテ状接着剤が一旦硬化すると、何らかの原因でこの弾性パテ状接着剤が破断して、気密になっている空気溜部に外気が流入しないかぎり、荷重が繰り返し加わったとしても本来の接着力を長期に渡って維持することができる。
【発明の効果】
【００１４】  基体台部の背面中央部に両面粘着テープを貼着し、前記基体台部の背面縁周に糊溜凹部を刻設し、該糊溜凹部の内周縁に糊付け部を突設し、該糊付け部の内周縁に空気溜部を刻設し、前記基体台部の背面縁周に間隙部を設け、前記基体台部の前面に取付装置を設けた壁面取付具に、チューブ入りパテ状接着剤を用いてパテ状接着剤を糊付け部に塗布して、壁面に取り付ける施行方法を採用したことにより、簡単な構造でありながら、かつ施工が容易で、しかも、重量物を掛止しても壁面や各種部材面から容易に脱落しない、強力な保持力を持つ壁面取付具を得ることができた。
【発明を実施するための最良の形態】
【００１５】  図２及び図３において説明する。矩形状あるいは円形状で、背面がほぼ平坦な板状の基体台部１の背面縁周に糊溜凹部３を刻設し、さらに、この糊溜凹部３の内周縁に空気溜部５を刻設することによって糊付け部４を環状に形成し、同様に前記空気溜部５を刻設することによって隆起部１ａを形成する。そして、この隆起部１ａの中央に両面粘着テープ２を貼着し、基体台部１の背面縁周には施行後に壁面と背面縁周とに僅かな間隔ができるように断面を爪形に形成した間隙部６を設ける。さらに、基体台部１の前面には、掛止空間部８を有し、鉤先端９ａが外側に向く略Ｓ字状鉤９を形設した。そして、この壁面取付具を、チューブ入りパテ状接着剤２０を用いてパテ状接着剤１０を糊付け部４に塗布してから両面粘着テープの剥離紙２１を剥いで、壁面に取り付ける手順で施行するようにした。
【実施例１】
【００１６】  図１、３は本発明の実施例である。基体台部１の背面中央部に両面粘着テープ２を貼着し、前記基体台部１の背面縁周に糊溜凹部３を刻設し、該糊溜凹部３の内周縁に糊付け部４を突設し、該糊付け部４の内周縁に空気溜部５を刻設し、前記基体台部１の背面縁周に断面を爪形に形成した間隙部６を設け、基体台部１の前面には、板状の鉤８１を略Ｊ字状に突設し、この板状の鉤８１の中央部にネジ穴を設け、握手付きボルト７ａを螺合させた。そして、この壁面取付具を、チューブ入りパテ状接着剤２０を用いてパテ状接着剤１０を糊付け部４に塗布し、両面テープの剥離紙２１を剥いでから壁面に取り付けるようにした。
【実施例２】
【００１７】図２は本発明の実施例である。実施例１の取付装置７を掛止空間部８を有する略Ｓ字状鉤９とした
【図面の簡単な説明】
【００１８】
【図１】壁面取付具を壁に取り付けた状態の断面図
【図２】壁面取付具を天井に取り付けた状態の断面図
【図３】施工途中の状態を表した背面斜視図
【符号の説明】
【００１９】１、基体台部
１ａ  隆起部
２、両面粘着テープ
３、糊溜凹部
４、糊付け部
５、空気溜部
６、間隙部
７、取付装置
７ａ  握手付きボルト
８  掛止空間部
８１  板状の鉤
９  略Ｓ字状鉤
９ａ  鉤先端
１０  パテ状接着剤
２０  チューブ入りパテ状接着剤
２１  剥離紙
２２  壁
２３  天井
【図１】
0004539965.tif 000002
【図２】
0004539965.tif 000003
【図３】
0004539965.tif 000004